(57)【要約】      （修正有）【課題】タワーに代表される背の高い立体形状を折り畳み可能にして容器本体に組み付けた容器用組立体を提供する。【解決手段】起立体基部３４、起立体先部３５及び持上部４１が折り畳まれた状態から、操作部３８ｉを前方に引っ張ることにより、持上部４１を起立状態として持上部４１で折り畳まれた状態の起立体基部３４及び起立体先部３５を下から押し上げて斜めに起き上がらせ、さらに操作部を前方に引っ張ることにより、中間部が起立体基部３４の下板３２を前方に押して起立体基部３４を拡開起立させると共に、連結部を引っ張って起立体先部３５を起立体基部３４の上に起立させるように構成する。【選択図】図１０
0003179602.tif 000002
【実用新案登録請求の範囲】
【請求項１】
折り畳んだ状態で容器本体の上部に位置させて使用される容器用組立体であって、
折り畳んだ状態において、
上板と、該上板の下側に位置する下板と、前記上板と下板の左右側部に連結されると共に中間で谷折り及び／又は山折りされて折り畳まれる側板とを備えた起立体基部と、
該起立体基部に連結され、前記下板の下側に位置して前記起立体基部の前部から後方に延びる先部を備えた起立体先部と、
前記先部に連結されて該先部の下側に位置する連結部と、該連結部の前端から後方に延び、前記上板の上側に位置すると共に該上板に形成されたスリットから該上板の下側に入り込み該上板と前記下板との間に位置する中間部と、該中間部の後端から前方に延び、前記下板の下側に位置する操作部とを備えた操作体とを備え、
前記起立体基部及び起立体先部が折り畳まれた状態から、前記操作部を前方に引っ張ることにより、前記中間部が前記起立体基部の下板を前方に押して該起立体基部を拡開起立させると共に、前記連結部を引っ張って前記起立体先部を前記起立体基部の上に起立させるように構成されていることを特徴とする容器用組立体。
【請求項２】
前記先部が、前記下板の前端で折り返されて該前端から後方に延びるものであることを特徴とする請求項１記載の容器用組立体。
【請求項３】
前記操作部が、該操作部が前方に引っ張られると折り畳まれた状態から起立状態に変化する持上部を有し、
前記起立体基部、起立体先部及び持上部が折り畳まれた状態から、前記操作部を前方に引っ張ることにより、前記持上部を起立状態として該持上部で前記折り畳まれた状態の起立体基部及び起立体先部を下から押し上げて斜めに起き上がらせ、さらに前記操作部を前方に引っ張ることにより、前記起立体基部を前記拡開起立させると共に前記起立体先部を前記起立体基部の上に起立させるように構成されていることを特徴とする請求項１又は２記載の容器用組立体。
【請求項４】
前記連結部の前端が、前記上板及び下板の前端よりも所定長前方に位置していることを特徴とする請求項１〜３いずれか１項記載の容器用組立体。
【請求項５】
前記操作部が、前記中間部の後端から前方に延びる操作後部と該操作後部に連結されて前方に延びる操作前部とを備え、
前記操作後部には前方スリットが設けられ、
前記操作前部は、前記操作後部の前記前方スリットよりも後方の位置で前記操作後部に連結される後端部と、該後端部に連結され山折りされて前記操作部と前記起立体先部との間に折り畳まれる前記持上部と、該持上部に連結され前記前方スリットを通って前記操作後部の下側から前方に延びる前部とを備え、
前記操作前部の前部を前方に引っ張ることにより、前記折り畳まれた持上部を山状の起立状態とするように構成されていることを特徴とする請求項３又は４記載の容器用組立体。
【請求項６】
前記操作部が、前記起立体先部を前記起立体基部の上に起立させた状態で前記操作部が後方に戻らないように該操作部を前記容器本体に係止する係止部を備えていることを特徴とする請求項１〜５いずれか１項記載の容器用組立体。
【請求項７】
前記操作後部には前記前方スリットよりも後方の位置に後方スリットが設けられ、
前記操作前部の後端部は前記操作後部の上から前記後方スリットを通って前記操作後部の下側に位置し、該操作後部の下側に位置する前記後端部が前記後方スリットの横幅よりも大きな横幅を有して前記係止部を構成していることを特徴とする請求項６記載の容器用組立体。
【請求項８】
前記容器本体の上側であって前記操作部の下側に位置する台板を備え、
前記起立体基部の下板に該下板の後端横幅よりも幅広の脚板が設けられ、
前記起立体基部が前記拡開起立したとき前記脚板の下端が前記台板によって支持されるように構成されていることを特徴とする請求項１〜７いずれか１項記載の容器用組立体。
【考案の詳細な説明】
【技術分野】
【０００１】
本考案は、スカイツリーや東京タワー等の背の高い立体形状を折り畳み可能にして容器本体に組み付けて使用される容器用組立体に関するものである。
【背景技術】
【０００２】
従来より、お土産用や贈り物用のお菓子等を収容する様々な形状の容器が知られている。例えば、特許文献１には、蓋を開けるときに蓋部が起立拡開して十字架を有する塔等の立体形状を示し、蓋を開ける人に驚きとおもしろさを感じさせる装飾容器が開示されている。
【０００３】
一方、スカイツリーや東京タワー等の背の高い有名なランドマークは、たくさんの観光客が訪れる場所であり、各々のランドマークにちなんだ形状のお土産物がたくさん売られている。
【先行技術文献】
【特許文献】
【０００４】
【特許文献１】特開平８−７２８６３号公報
【考案の概要】
【考案が解決しようとする課題】
【０００５】
しかしながら、スカイツリーや東京タワー等の背の高い形状の装飾品は、そのままでは持ち運びし難く、遠くからきた観光客にとっては持ち帰るのが大変な場合がある。
そこで、お土産用のお菓子等が収容された容器に、スカイツリーや東京タワー等の背の高い建物の形状を印刷した厚紙等を折り畳み可能に取り付けたものが考えられるが、このような構造だと、折り畳んで持ち運ぶことは可能だが、厚紙で形成された建物を起立させたときに、１枚の厚紙からなる平面形状であるのでぐらぐらしてしまう虞がある。
【０００６】
本考案は上記の事情に鑑みなされたものであり、折り畳んだ状態で容器本体に組み付けることができて、操作部を引っ張ることにより、背の高い立体形状を容易に、かつ、確実に起立させることができる容器用組立体を提供することを目的とする。
【課題を解決するための手段】
【０００７】
本考案の容器用組立体は、
折り畳んだ状態で容器本体の上部に位置させて使用される容器用組立体であって、
折り畳んだ状態において、
上板と、上板の下側に位置する下板と、上板と下板の左右側部に連結されると共に中間で谷折り及び／又は山折りされて折り畳まれる側板とを備えた起立体基部と、
起立体基部に連結され、下板の下側に位置して起立体基部の前部から後方に延びる先部を備えた起立体先部と、
先部に連結されて該先部の下側に位置する連結部と、連結部の前端から後方に延び、上板の上側に位置すると共に上板に形成されたスリットから上板の下側に入り込み上板と下板との間に位置する中間部と、中間部の後端から前方に延び、下板の下側に位置する操作部とを備えた操作体とを備え、
起立体基部及び起立体先部が折り畳まれた状態から、操作部を前方に引っ張ることにより、中間部が起立体基部の下板を前方に押して起立体基部を拡開起立させると共に、連結部を引っ張って起立体先部を起立体基部の上に起立させるように構成されていることを特徴とするものである。
【０００８】
なお、本考案において、「スリット」は、開口であってもよいし、切込みであってもよい。
【０００９】
本考案の容器用組立体は、先部が、下板の前端で折り返されて該前端から後方に延びるものであってもよい。
【００１０】
また、本考案の容器用組立体は、操作部が、該操作部が前方に引っ張られると折り畳まれた状態から起立状態に変化する持上部を有し、起立体基部、起立体先部及び持上部が折り畳まれた状態から、操作部を前方に引っ張ることにより、持上部を起立状態として持上部で折り畳まれた状態の起立体基部及び起立体先部を下から押し上げて斜めに起き上がらせ、さらに操作部を前方に引っ張ることにより、起立体基部を拡開起立させると共に起立体先部を起立体基部の上に起立させるように構成されていてもよい。
【００１１】
また、本考案の容器用組立体は、連結部の前端が、上板及び下板の前端よりも所定長前方に位置していてもよい。
【００１２】
また、本考案の容器用組立体は、操作部が、中間部の後端から前方に延びる操作後部と操作後部に連結されて前方に延びる操作前部とを備え、操作後部には前方スリットが設けられ、操作前部は、操作後部の前方スリットよりも後方の位置で操作後部に連結される後端部と、該後端部に連結され山折りされて操作部と起立体先部との間に折り畳まれる持上部と、持上部に連結され前方スリットを通って操作後部の下側から前方に延びる前部とを備え、操作前部の前部を前方に引っ張ることにより、折り畳まれた持上部を山状の起立状態とするように構成されていてもよい。
【００１３】
また、本考案の容器用組立体は、操作部が、起立体先部を起立体基部の上に起立させた状態で操作部が後方に戻らないように操作部を容器本体に係止する係止部を備えていてもよい。
【００１４】
また、本考案の容器用組立体は、操作後部には前方スリットよりも後方の位置に後方スリットが設けられ、操作前部の後端部は操作後部の上から後方スリットを通って操作後部の下側に位置し、操作後部の下側に位置する前記後端部が後方スリットの横幅よりも大きな横幅を有して前記係止部を構成していてもよい。
【００１５】
また、本考案の容器用組立体は、容器本体の上側であって操作部の下側に位置する台板を備え、起立体基部の下板に下板の後端横幅よりも幅広の脚板が設けられ、起立体基部が拡開起立したとき脚板の下端が台板によって支持されるように構成されていてもよい。
【考案の効果】
【００１６】
本考案の容器用組立体によれば、折り畳んだ状態において、上板と、上板の下側に位置する下板と、上板と下板の左右側部に連結されると共に中間で谷折り及び／又は山折りされて折り畳まれる側板とを備えた起立体基部と、起立体基部に連結され、下板の下側に位置して起立体基部の前部から後方に延びる先部を備えた起立体先部と、先部に連結されて先部の下側に位置する連結部と、連結部の前端から後方に延び、上板の上側に位置すると共に上板に形成されたスリットから上板の下側に入り込み上板と下板との間に位置する中間部と、中間部の後端から前方に延び、下板の下側に位置する操作部とを備えた操作体とを備え、起立体基部及び起立体先部が折り畳まれた状態から、操作部を前方に引っ張ることにより、中間部が起立体基部の下板を前方に押して起立体基部を拡開起立させると共に、連結部を引っ張って起立体先部を起立体基部の上に起立させるように構成されているので、折り畳んだ状態では持ち運びがし易く、操作部を前方に向けて引っ張れば、起立体基部が拡開起立すると共に起立体先部も起立するので、東京タワーやスカイツリー等の背の高い立体形状を二段階に分けて容易に、かつ、確実に起立させることができる。
【図面の簡単な説明】
【００１７】
【図１】本考案の一実施形態にかかる容器用組立体を備えた容器の、容器用組立体が折り畳まれた状態の斜視図
【図２】容器本体と組み合わせて使用されるカバー部材の斜視図
【図３】図１のＡ−Ａにおける断面図
【図４】本考案の一実施形態にかかる起立体基部、起立体先部の先部，連結部及び中間部の一部の展開図
【図５】本考案の一実施形態にかかる起立体先部の最先端部の展開図
【図６】本考案の一実施形態にかかる中間部の一部と操作後部の展開図
【図７】本考案の一実施形態にかかる操作前部の展開図
【図８】本考案の一実施形態にかかる容器用組立体を備えた容器の、持上部が起立状態になったときの斜視図
【図９】図８のＢ−Ｂにおける断面図
【図１０】本考案の一実施形態にかかる容器用組立体を備えた容器の、起立体先部及び起立体基部が起立状態になったときの斜視図
【図１１】図１０のＣ−Ｃにおける断面図
【図１２】起立体基部および起立体先部が起立していく途中の状態を示す断面概略図
【図１３】起立体基部および起立体先部が起立していく途中の状態を示す断面概略図
【図１４】操作部を容器本体に係止する別の実施形態を示す斜視図
【考案を実施するための形態】
【００１８】
以下、図面を参照しながら本考案にかかる容器用組立体の実施形態について説明する。図１は本考案にかかる容器用組立体を備えた容器の、容器用組立体が折り畳まれた状態の斜視図、図２は容器本体と組み合わせて使用されるカバー部材の斜視図、図３は図１のＡ−Ａにおける断面図、図４〜図７はそれぞれ図１の容器用組立体に使用される部品の展開図、図８は本考案にかかる容器用組立体を備えた容器の、持上部が起立状態になったときの斜視図、図９は図８のＢ−Ｂにおける断面図、図１０は本考案にかかる容器用組立体を備えた容器の、起立体先部及び起立体基部が起立状態になったときの斜視図、図１１は図１０のＣ−Ｃにおける断面図である。なお本実施形態においては、図１中の矢印Ｕ方向を上方、矢印Ｄ方向を下方、矢印Ｆ方向を前方、矢印Ｒ方向を後方、矢印ＲＩ方向を右方、矢印ＬＥ方向を左方として説明する。また、図４において、太い実線は外形線および切込線、細い実線は山折線、細い破線は谷折線を示す。
【００１９】
本実施形態の容器用組立体１は厚紙製であって、図１に示すように、折り畳んだ状態で紙製の容器本体１０の上部に位置させて使用される。容器本体１０の内部には、お菓子等をきれいに並べて収容するための仕切紙１１が配設されている。本実施形態では、仕切紙１１は、容器本体１０の内部を６つの部屋に仕切るように構成されている。
【００２０】
容器用組立体１は、スカイツリーや東京タワー等の背の高い建物等の形状をし、容器本体１０の上部に折り畳んだ状態で位置する起立体３と、容器本体１０の後面側で起立体３と連結し、容器本体１０を覆うカバー部材２と、起立体３と連結し、起立体３を折り畳んだ状態から起立状態に変化させる操作体４とを備えている。
【００２１】
カバー部材２は、容器本体１０の開口する上面を略半分覆う台板２ｄと、該台板２ｄの後端から下方に折り曲がり容器本体１０の後面を覆う後面板２ａと、後面板２ａの下端から容器本体１０の下側に位置して前方に延びる下面板２ｅと、下面板２ｅの両側端から延びて容器本体１０の左右両側面及び上面を覆う側上面板２ｂ，２ｃとから構成されている。台板２ｄは、図３に示すように、折り畳まれた状態では、容器本体１０の上側であってかつ後述する操作部３８の下側に位置する。
【００２２】
カバー部材２は、側上面板２ｂ，２ｃが、図１に示す折り畳まれた状態の起立体３を、上方から覆うことにより、外形を包装し易くしている。また、起立体３の後述する係止体３１ｃは、台板２ｄの上から台板２ｄの後端に形成されたスリット２ｆを通って容器本体１０の後面とカバー部材２の後面板２ａとの間に位置して、上方に抜け出ないように係止されている。
【００２３】
このカバー部材２が、図１の状態から容器本体１０及び起立体３を覆うように畳まれた状態で、操作体４が前方に引っ張られると、起立体３が後述するようにして起立すると共に、カバー部材２の側上面板２ｂ，２ｃが起立体３に押し上げられて自動的に開く。
【００２４】
起立体３は、図１０に示すように、起立体基部３４と起立体先部３５とで構成され、起立体基部３４は、図１、図３、図４に示すように、上板３１と、上板３１の下側に位置する下板３２と、上板３１と下板３２の左右側部に連結されると共に、それぞれ谷折線３３ａで谷折り、山折線３３ｂで山折りされて上板３１と下板３２との間に挟まれる側板３３とを備えている。側板３３中の太い実線３３ｃは略Ｌ字状の切込線である。側板３３は、図示しない中央の山折線で山折りされて上板３１および下板３２の両側外側に突出した状態で折り畳まれるものであってもよい。
【００２５】
上板３１は、中央よりも前方側に後述する中間部３７が挿通されるスリット３１ａを備えている。さらに、上板３１はその後端から同幅で延びる、前記台板２ｄのスリット２ｆと同幅の延長部３１ｂを備え、延長部３１ｂの後端からは、該後端よりも広い幅の係止体３１ｃが延びている。係止体３１ｃは、延長部３１ｂの左右端よりも左右に突出している左右両端部を内側に折り曲げて台板２ｄの上からスリット２ｆに差し込まれ、台板２ｄの下で折り曲げられている左右両端部を開くことで台板２ｄに係止されると共に、容器本体１０の後面とカバー部材２の後面板２ａとの間に保持される。また上板３１は、図４に示すように、左側端側に左側板３３と接合するための貼代３１ｄを備えており、この貼代３１ｄの表面と左側板３３の裏面とが貼り付けられて、図１０に示される筒状の起立体基部３４が形成される。
【００２６】
また、起立体基部３４は、図１，３に示すように、下板３２の後端下側に、下板３２の後端の左右横幅よりも幅の広い脚板５が接着して取り付けられている。この脚板５は、起立体基部３４が拡開起立したときに、図１０に示すように、台板２ｄ の上面に起立するようになっており、脚板５の下端が台板２ｄによって支持されて、起立した起立体３が台板２ｄ上で確実に起立状態を保持できるように起立体基部３４を支える役割をする。
【００２７】
起立体先部３５は、図４に示すように、起立体基部３４の下板３２の前端３２ａから延び、図３に示すように、前端３２ａで折り返されて後方に延び下板３２の下側に位置する先部３５ａと、先部３５ａと接続して先部３５ａからさらに後方に延びる最先端部３６とから構成される。
【００２８】
最先端部３６は、図５に示すように、略四角形の留め部３６ａと、留め部３６ａから真ん中に向かって徐々に幅が狭くなるように形成された略三角形の頂点部３６ｂとを備え、真ん中を中心として図５中上下対称な形状となっている。最先端部３６は、真ん中が折り曲げられた状態で留め部３６ａが先部３５ａと後述する連結部３５ｂとの間に挟まれて保持され、頂点部３６ｂが先部３５ａの後端３５ｃに形成されたスリット３５ｅを通って先部３５ａよりも後方に延び、かつ留め部３６ａが後端３５ｃのスリット３５ｅよりも幅が広く形成されており、留め部３６ａがスリット３５ｅから先部３５の外方へ抜け出せないようになっている。
【００２９】
なお本実施形態では、起立体基部３４及び先部３５ａと、後述する連結部３５ｂ及び中間部３７の一部が、図４に示すように、一体的に一部材で形成されている。
【００３０】
操作体４は、連結部３５ｂと中間部３７と操作部３８とを備えており、連結部３５ｂは、図３，４に示すように、先部３５ａの後端３５ｃから延び、該後端３５ｃで折り返されて先部３５ａの下側に位置し前方に延びている。連結部３５ｂは、先部３５ａに対して、図３に示すように先部３５ａの前端側の所定長部分を残して接着されている。
【００３１】
中間部３７は、連結部３５ｂから延びる中間前部３７ｆ（図４参照）と、中間前部３７ｆに連結される中間後部３７ｇ（図６参照）とで構成され、図３，４に示すように、連結部３５ｂの前端３５ｄで折り返されて上板３１の上側に位置し、上板３１のスリット３１ａから上板３１の下側に入り込み、上板３１と下板３２との間に位置している。中間前部３７ｆは、図４に示すように、上板３１のスリット３１ａの幅よりも僅かに細く形成されると共に、前端に上板３１のスリット３１ａの幅よりも広い幅を有する凸部３７ａと、後端に中間後部３７ｇに形成された中間スリット３７ｃよりも広い幅で形成された後端部３７ｂを備えている。図３に示すように、中間前部の後端部３７ｂはその左右端部を内側に折り曲げて中間後部３７ｇの下から中間スリット３７ｃに挿通されて中間後部３７ｇの上側で左右両端部が開かれ、これにより中間前部３７ｆと中間後部３７ｇとが連結されている。なお、中間後部３７ｇは後述する操作後部３８ｍと一体となって中間部材３９を形成している。
【００３２】
操作部３８は、図３，６に示すように、中間部３７（中間後部３７ｇ）の後端３７ｅから折り返されて、下板３２の下側に位置して前方に延びる操作後部３８ｍと、図３，７に示すように、操作後部３８ｍに連結される操作前部３８ｎとを備えている。また中間スリット３７ｃよりも後方に谷折りを容易にする谷折線３７ｄが形成されている。
【００３３】
操作後部３８ｍには操作前部３８ｎが挿通される後方スリット３８ａ及び前方スリット３８ｂが設けられている。後方スリット３８ａは、前方スリット３８ｂよりも後方の位置に設けられている。
【００３４】
操作前部３８ｎは、図３，７，８に示すように、切込み３８ｃより後方の後端部３８ｊと、山折りされて操作部３８と起立体先部３５との間に折り畳まれる持上部４１と、持上部４１から前方に延び前方スリット３８ｂを通って操作後部３８ｍの下側から前方に延びる前部３８ｈとを備えている。
【００３５】
後端部３８ｊは、図８，９に示すように、左右両端部を内側に折り曲げて操作後部３８ｍの上から後方スリット３８ａを通って操作後部３８ｍの下側に位置し、左右両端部を開くことで操作後部３８ｍに係止されている。
【００３６】
切込み３８ｃは後端部３８ｊの両側端から内方に向かって、後方スリット３８ａの横幅を残して切り込まれており、後端部３８ｊの横幅すなわち切込み３８ｃよりも後方の横幅は、後方スリット３８ａの横幅よりも大きくなっている。
【００３７】
持上部４１は、切込み３８ｃの位置から、横幅が徐々に小さくなって延びる後持上部３８ｄと、山折りされたときに山の頂点となる山折端３８ｅを中心にして後持上部３８ｄと対称形状に形成された前持上部３８ｆとを備えている。
【００３８】
操作前部３８ｎは、図３に示すように、畳まれた状態では、山折端３８ｅを後端にして、後持上部３８ｄと前持上部３８ｆとが後持上部３８ｄを下に位置させて重なっており、前持上部３８ｆの前端３８ｇは操作後部３８ｍの前方スリット３８ｂから所定長後方側に位置している。
【００３９】
前部３８ｈは、図７に示すように、前持上部３８ｆの前端３８ｇから前方に延びており、山折線３８ｉで山折にされてこの山折部分が容器本体１０の前方の上端に引っかかるように構成されている。そして前部３８ｈが前方に引っ張られると、図８，９に示すように、前持上部３８ｆの前端３８ｇが操作後部３８ｍに突き当り、山折端３８ｅが上方に立ち上がって、後持上部３８ｄと前持上部３８ｆとが山折端３８ｅを頂点とした山状となり、図３に示す折り畳まれた持上部４１は、図８，９に示す山状の起立状態となる。
【００４０】
本実施形態の容器用組立体１は以上のように構成されている。次に本実施形態の容器用組立体１において起立体３を折り畳まれた状態から起立した状態にする動作について説明する。
【００４１】
先ず、図１，３に示すように、容器用組立体１の起立体３すなわち起立体基部３４及び起立体先部３５と、持上部４１が折り畳まれた状態から、操作部３８の前部３８ｈを前方に引っ張ることにより、後持上部３８ｄと前持上部３８ｆが立ち上がって山折端３８ｅを頂点にした山形状の持上部４１が起立すると共に、前持上部３８ｆの前端３８ｇが操作後部３８ｎに突き当たる。
【００４２】
そして持上部４１が畳まれた状態から起立状態になるときに、山折端３８ｅが折り畳まれた状態の起立体基部３４及び起立体先部３５を下から押し上げて、図８，９に示すように、起立体基部３４及び起立体先部３５が斜めに起き上がる。
【００４３】
このとき、図９，１０に示されているように、脚板５が重ねられている下板３２の左右方向中央部の下端部には脚板５と下板３２の双方に亘って一対の切込４５が設けられており、この一対の切込４５により挟まれている屈曲可能部４６が、操作後部３８ｍの後端に接続されている中間部３７により前方に押されて、図９，１０に示されているように前方に折れ曲がり、これによって中間部３７の操作部３８に近い部分が略垂直に立ちあがった状態となり、以後の操作部３８の前方への引っ張りにより中間部３７を介して起立体が起立しやすい状態となっている。次に、操作部３８の前部３８ｈをさらに前方に引っ張ることにより、前持上部３８ｆの前端３８ｇが操作後部３８ｍに、後持上部３８ｄから後方に延びている後端部３８ｊが操作後部３８ｍにそれぞれ突き当っているので、操作後部３８ｍを介して中間部３７が前方に引っ張られる。
【００４４】
中間部３７が前方に移動すると、図９に示す状態から、中間部３７の下側に位置している下板３２が中間部３７に押されて前方に移動し、図１０，１１に示すように、側板３３が拡開して起立体基部３４が拡開起立し、脚板５が台板２ｄの上面に起立する。
【００４５】
図９の状態から図１１の状態に至る過程についてさらに詳細に説明する。図９の状態からさらに操作部３８を前方に引っ張ると、操作部３８によって中間部３７が前方に引っ張られ起立体基部３４が更に立ち上がりながら拡開し、中間部３７によって連結部３５ｂが引っ張られて連結部３５ｂに連結されている起立体先部３５が下板３２の前端３２ａを支点として上方に向けて反時計方向に回動し立ち上がり始め、図１２に示す状態になる。
【００４６】
図１２に示す状態からさらに操作部３８を前方に引っ張ると、中間部３７が更に前に出て起立体基部３４がさらに拡開起立し、起立体先部３５もさらに起き上がり図１３に示すように、連結部３５ｂが起立体基部の上板３１の前端３１ｄに当接する。
【００４７】
そして、この状態からさらに操作部３８を前方に引っ張ると、連結部３５ｂは起立体基部の上板３１の前端３１ｄを支点として更に反時計方向に回転し、起立体基部３４も更に拡開起立し、図１１に示す最終起立拡開状態となる。この最終起立拡開状態においては、中間部３７の凸部３７ａがスリット３１ａ位置で上板３１に突き当たって止まり、起立体先部３５は起立体基部３４の上にまっ直ぐ上方に向かって立ち上がった状態となる。
【００４８】
さらに、この状態において、操作前部３８ｎの後端部３８ｊを、図１１に示すように、仕切紙１１と容器本体１０の前壁の内面との間に差し込んで容器本体１０に係止させる。このように、後端部３８ｊを容器本体１０に係止させることにより、操作部３８から人が手を離しても、起立体３を台板２ｄ上に起立させた状態を保持することができる。
【００４９】
なお、カバー部材２が畳まれた状態で、操作部３８が引っ張られると、起立体３が起立するに従って、カバー部材２の側上面板２ｂ，２ｃが起立体３に押し上げられて自動的に開く。これにより、人は操作部３８を引っ張るだけで、自動的にカバー部材２の側上部材２ｂ，２ｃが開いて、起立体３が起立するので、人に驚きを感じさせることができる。
【００５０】
以上のように構成された本実施形態の容器用組立体１は、折り畳んだ状態では持ち運びがし易く、操作部３８を前方に向けて引っ張れば、持上部４１が起立状態になって折り畳まれた状態の起立体基部３４と起立体先部３５を斜めに起き上がらせることができ、さらに操作部３８を前方に向けて引っ張れば、起立体基部３４が拡開起立すると共に起立体先部３５も起立するので、東京タワーやスカイツリー等の背の高い立体形状を二段階に分けて容易に、かつ、確実に起立させることができる。
【００５１】
なお本実施形態では、切込み３８ｃと後方スリット３８ａによって操作前部３８ｎの後端部３８ｊを操作後部３８ｍに係止させる構成としたが、後端部３８ｊを操作後部３８ｍに係止（固定も含む）できれば、別の構成であっても構わない。
【００５２】
なお本実施形態では、操作前部３８ｎの後端部３８ｊを、仕切紙１１と容器本体１０の前壁の内面との間に差し込むようにしたが、起立体３を台板２ｄ上に起立させた状態を保持することができれば、別の構成であっても構わない。ここで図１４に、操作部３８を容器本体１０に係止する別の実施形態を示す斜視図を示す。
【００５３】
本実施形態では、図１４に示すように、操作前部３８ｎの後端部３８ｊを、容器本体１０の前壁の外面に係止させている。なお例えば、容器本体１０の前壁の外面に切込を入れておき、後端部３８ｊをその切込に差し込むようにしてもよい。また後端部３８ｊの下端に、下端から上方に向かって２本の切込を入れておき、この切込を容器本体１０の前壁にひっかけるようにしてもよい。
【００５４】
本実施形態では、操作部３８に持上部４１を設け、起立体基部３４および起立体先部３５を起立させる際、最初にこの持上部４１によりそれらを斜めに持ち上げることで起立体基部３４および起立体先部３５の起立を容易にしているが、起立体基部３４等の形状その他により持上部４１の助けを借りることなく起立体基部３４および起立体先部３５を起立させることができる場合は、持上部４１は省略することができる。
【符号の説明】
【００５５】
１      容器用組立体
１０    容器本体
１１    仕切紙
２      カバー部材
２ｄ    台板
３      起立体
３１    上板
３１ａ  スリット
３１ｂ  延長部
３１ｃ  係止体
３２    下板
３２ａ  前端
３３    側板
３４    起立体基部
３５    起立体先部
３５ａ  先部
３５ｂ  連結部
３５ｄ  前端
３７    中間部
３７ｅ  後端
３８    操作部
３８ａ  後方スリット
３８ｂ  前方スリット
３８ｃ  切込み
３８ｊ  後端部
３８ｈ  前部
３８ｍ  操作後部
３８ｎ  操作前部
４      操作体  
４１    持上部
５      脚板
【図１】
0003179602.tif 000003
【図２】
0003179602.tif 000004
【図３】
0003179602.tif 000005
【図４】
0003179602.tif 000006
【図５】
0003179602.tif 000007
【図６】
0003179602.tif 000008
【図７】
0003179602.tif 000009
【図８】
0003179602.tif 000010
【図９】
0003179602.tif 000011
【図１０】
0003179602.tif 000012
【図１１】
0003179602.tif 000013
【図１２】
0003179602.tif 000014
【図１３】
0003179602.tif 000015
【図１４】
0003179602.tif 000016